(57)【要約】【課題】  本発明は、エアバッグの膨張展開にともなう圧力が、内装部品本体の展開口を開く方向に加えられる構成とすることにより、内蔵したエアバッグがスムーズに展開できる車両用内装部品を提供する。【解決手段】  車体パネルの車室側に取り付けられる内装部品本体と、車体パネルと内装部品本体の間の空隙に設置されるエアバッグと、内装部品本体の一部領域に画設され、エアバッグが車室内へ展開する開口を開くために回動する展開部と、展開部と内装部材の本体を連結し、回動の軸となるヒンジ部と、を備え、展開部は、ヒンジ部を軸として回動する端部に向けて、エアバッグの展開方向をガイドするガイドプレートを有することを特徴とする車両用内装部品。【選択図】  図３
2010264930.tif 000002
【特許請求の範囲】
【請求項１】
車体パネルの車室側に取り付けられる内装部品本体と、
前記車体パネルと前記内装部品本体の間の空隙に設置されるエアバッグと、
前記内装部品本体の一部領域に画設され、前記エアバッグが前記車室内へ展開する開口を開くために回動する展開部と、
前記展開部と前記内装部材の本体を連結し、回動の軸となるヒンジ部と、を備え、
前記展開部は、前記ヒンジ部を軸として回動する端部に向けて、前記エアバッグの展開方向をガイドするガイドプレートを有することを特徴とする車両用内装部品。
【請求項２】
前記ヒンジ部は、前記展開部に固定される第１の金属プレートと、前記内装部品本体に固定される第２の金属プレートと、該第１および第２の金属プレートをつなぐブリッジ状に設けられたヒンジと、を有し、
前記ガイドプレートは、
前記第１の金属プレートを覆う位置に配置され、
前記エアバッグの展開方向を、前記展開部の端部へガイドする傾斜を有する突起部を有し、
前記突起部は、前記展開部の端部側の、前記第１の金属プレートの外縁を跨いで配置されていることを特徴とする請求項１に記載の車両用内装部品。
【請求項３】
前記ガイドプレートの突起部は、
前記展開部の端部側の外縁において、フランジ状の縁部を有することを特徴とする請求項２に記載の車両用内装部品。
【発明の詳細な説明】
【技術分野】
【０００１】
本発明は、エアバッグを内蔵する車両用内装部品に関する。
【背景技術】
【０００２】
車両用エアバッグは、車両が障害物や他の車両などに衝突した際に、車両の構造体と乗員の間に膨張展開し、乗員が慣性力によって車両構造体に直接衝突することを防ぎ、安全を確保する。
【０００３】
図４（ａ）は、車両用内装部品であるドアトリム１を模式的に示す説明図である。図中に示すドアトリム１は、車体パネル２２に装着されて使用される。また、ドアトリム本体と車体パネルの間に形成される空間には、エアバッグが格納されている。
【０００４】
また、図４（ａ）に示すように、ドアトリム１の本体９の上面には、エアバックが車室内に膨出する際の展開口となる部分に、展開部２が画設されている。展開部２とドアトリム１の本体の境界３には、レーザ加工によりティアライン３が形成されている。車両の衝突時において、ドアトリム本体９の内部で膨張を始めたエアバッグは展開部２を押し上げ、展開部２は、図４（ｂ）に示すように、ティアラインに沿ってドアトリム本体９から分離し、ヒンジ部３ａを軸として回動して展開口を開く構成となっている。
【０００５】
また、特許文献１には、車両の側面衝突時に、エアバッグをサイドドアのドアトリム上部から車室内に確実に膨出させる発明が開示されている。この発明においては、ドアトリムの芯材を薄肉に加工した溝により画設された展開部が、上方に回動して押し開かれる構成となっている。
【先行技術文献】
【特許文献】
【０００６】
【特許文献１】特開２００６-８８７３１号公報
【発明の概要】
【発明が解決しようとする課題】
【０００７】
しかしながら、上記の従来技術においては、エアバッグの膨張展開時における爆発的な圧力が展開部に瞬時に加わることから、展開口を開く前にヒンジ部に開裂が生じて、展開部の回動が妨げられ、また、展開部自体が破損して飛び散る不具合が発生することがあった。
【０００８】
図５は、ドアトリム本体９のＡ−Ａ断面（図４参照）を示す模式図である。ドアトリム本体９の上部と図示しない車体パネルとの間の空間には、外ケース３４と内ケース３５に挟持されたエアバッグ装置３３が配置されている。また、エアバッグ装置３３の内部には、エアバッグが折り畳まれて格納されている。
【０００９】
一方、ドアトリム本体９の上面に画設された展開部２（図４参照）は、前述したように、ヒンジ部３ａを軸として回動し、エアバッグが車室内へ膨出するための展開口を開く。また、図中に示すように、ヒンジ部３ａの内側にはヒンジ７ｃが取り付けられ、展開部２の回動の軸となるとともに、ドアトリム本体９から展開部２が分離しないようにつなぎ止める役割を果たす。
【００１０】
エアバッグ装置３３に格納されているエアバッグは、衝突時に発生する高圧のガスによって、図中の矢印に示す上方に向かって膨張展開する。さらに、膨張を始めたエアバッグは、展開部２を上方に向って押し上げるように圧力を加える。この際、展開部２がティアライン３に沿ってドアトリム本体９から分離し、回動を始めるまで、エアバッグは、展開部２を上方へ押し上げ続ける。このため、展開部２がエアバッグの圧力に耐えられない場合には、ティアライン３に沿った境界以外の場所で開裂して破損し、破片が飛散する場合があった。
【００１１】
そこで、本発明は、上記の問題を鑑みてなされたものであり、エアバッグの膨張展開にともなう圧力が、内装部品本体の展開口を開く方向に加えられる構成とすることにより、内蔵したエアバッグがスムーズに展開できる車両用内装部品を提供する。
【課題を解決するための手段】
【００１２】
上記課題を解決するために、本発明に係る車両用内装部品は、車体パネルの車室側に取り付けられる内装部品本体と、車体パネルと内装部品本体の間の空隙に設置されるエアバッグと、内装部品本体の一部領域に画設され、エアバッグが車室内へ展開する開口を開くために回動する展開部と、展開部と内装部材の本体を連結し、回動の軸となるヒンジ部と、を備え、展開部は、ヒンジ部を軸として回動する端部に向けて、エアバッグの展開方向をガイドするガイドプレートを有することを特徴とする。
【００１３】
本発明によれば、エアバッグが膨張展開する際に、ガイドプレートに案内されて展開部の端部に向かって膨張する。これにより、展開部に加わるエアバッグの圧力は、ヒンジ部を軸として展開部を回動させる方向に働くことになり、エアバッグを車室内に展開する開口をスムーズに開くことができる。
【００１４】
さらに、本発明に係る車両用内装部品おいて、ヒンジ部は、展開部に固定される第１の金属プレートと、内装部品本体に固定される第２の金属プレートと、該第１および第２の金属プレートをつなぐブリッジ状に設けられたヒンジと、を有し、ガイドプレートは、第１の金属プレートを覆う位置に配置され、エアバッグの展開方向を、展開部の端部へガイドする傾斜を有する突起部を有し、突起部は、展開部の端部側の、第１の金属プレートの外縁を跨いで配置されていることを特徴とする。
【００１５】
これにより、ガイドプレートの突起部に沿って膨張するエアバッグが、金属プレートの縁部に触れることがないので、傷や引っ掛かりを生じることなくスムーズに展開することが可能となる。
【００１６】
また、本発明に係る車両用内装部品において、ガイドプレートの突起部は、展開部の端部側の外縁において、フランジ状の縁部を有することを特徴とする。
【００１７】
これにより、ガイドプレートのエッジに生じる成形時のバリなどが、エアバックに触れて、傷や引っ掛かりを生じることがなくなり、スムーズに展開することが可能となる。
【発明の効果】
【００１８】
本発明によれば、エアバッグの膨張展開にともなう圧力が、内装部品本体の展開口を開く方向に加えられる構成となるので、内蔵したエアバッグがスムーズに展開できる車両用内装部品を実現することができる。
【図面の簡単な説明】
【００１９】
【図１】本発明に係る車両用内装部品を示す模式図である。
【図２】本発明に係る車両用内装部品の展開部を示す模式図である。
【図３】本発明に係る車両用内装部品のＡ−Ａ断面を示す模式図である。
【図４】車両用内装部品であるドアトリムを示す模式図である。
【図５】従来の車両用内装部品のＡ−Ａ断面を示す模式図である。
【発明を実施するための形態】
【００２０】
以下、本発明に係る好適な実施の形態について、図面を参照しながら詳細に説明する。
【００２１】
図１は、車体パネルの車室側に取り付けられる内装部品であるドアトリム１０の本体９を示す模式図である。ドアトリム１０は、本発明に係る車両用内装部品であり、図中には、車両パネル側から見たドアトリム本体９の内面が示されている。ドアトリム１０の上部には、エアバッグを車室に膨出させるための展開口を開く展開部２が、ティアライン３により画設されている。また、展開部２には、第１の金属プレート７ａが取り付けられており、ドアトリム本体９に取り付けられた第２の金属プレート７ｂとの間を、複数のヒンジ７ｃがつないでいる。ヒンジ７ｃは、展開部２が回動する際の回動軸として機能するとともに、展開部２がドアトリム本体９から離れて、飛び出さないようにつなぎ止める役割を果たす。
【００２２】
また、展開部２には、第１の金属プレート７ａを覆うようにガイドプレート４が配置されている。ガイドプレート４には、後述するように、複数の突起部４ａ、４ｂが設けられている。さらに、突起部４ａ、４ｂの間には、複数の溶着部８が形成されており、展開部２とガイドプレート４の間に第１の金属プレート７ａを挟持して固定している。溶着部８は、第１の金属プレート７ａおよびガイドプレート４の図示しない取付孔を貫通して突出したボスの先端を溶着したものである（図５参照）。一方、ドアトリム本体側においても、固定プレート５が配置されており、ドアトリム本体９との間に第２の金属プレート７ｂを挟持し、複数の溶着部８により固定されている。
【００２３】
図２は、ドアトリム本体９の上部を示す模式図である。第１の金属プレート７ａと第２の金属プレート７ｂが、それぞれガイドプレート４および固定プレート５によって固定されている。第１の金属プレート７ａと第２の金属プレート７ｂをつなぐヒンジ７ｃは、図中に示すようにブリッジ状に形成されている。また、第１の金属プレート７ａを固定するガイドプレート４には、複数の突起部４ａ、４ｂが設けられている。
【００２４】
図３は、ドアトリム１０にエアバッグ装置１３が装着された状態を模式的に示すＡ−Ａ断面図である。図中に示すように、エアバッグ装置１３は、車体パネルとドアトリム１０の間の空隙に、外ケース１４と内ケース１５に挟持された状態で設置されている。車両が衝突した際に、高圧ガスが外部から注入されると、エアバッグ装置１３の内部に折り畳まれて格納されているエアバッグが図中の上方に向かって膨張展開する。
【００２５】
一方、本実施態様に係る展開部２には、前述したガイドプレート４が配置されており、膨張するエアバッグの展開方向を、展開部２の端部２ａ方向にガイドする。図３中には、展開部２の内面に配置されたガイドプレート４における突起部４ａの断面が模式的に示されている。突起部４ａは、端部２ａの方向に傾斜した形状となっており、突起部４ａに当接して膨張展開するエアバッグを、図中の矢印Ｈに示す方向にガイドする。これにより、展開部２を上方に押し上げるエアバッグの圧力が、図中に示す矢印Ｆの方向に加わるようになり、ヒンジ部３ａの内側に配置されたヒンジ７ｃを軸として展開部２を回動させるように働く。すなわち、エアバッグが膨張展開する際の圧力が、展開部２を回動するためのモーメントとしてムダなく伝わるので、車室内へ膨出するための展開口をスムーズに開くことができる。
【００２６】
ドアトリム本体９は、所望の形状に成形された樹脂芯材２２に表皮２１を貼り付けたものであるから、展開部２の回動が遅れてエアバッグの圧力が高くなると、前述したように、所定のティアライン３（図４参照）以外の部分において開裂を生じ、展開部２が破損してしまうことがある。したがって、上記のように、エアバッグの圧力を回動のモーメントとして効率良く働くように導くことで、展開部２の割れや飛散を防ぐことができる。
【００２７】
さらに、図３中に示すように、突起部４ａは、端部２ａ側に位置する第１の金属プレート７ａの外縁部を跨いで配置されている。これにより、突起部４ａに沿って膨張展開するエアバッグが、第１の金属プレート７ａの外縁部に接触することが無くなる。したがって、第１の金属プレート７ａの成形時に生じたバリ等が外縁部に残っているような場合にも、エアバッグが傷つくことを防ぎ、また、引っ掛かりを無くして膨張展開をスムーズにすることができる。
【００２８】
また、ガイドプレートの突起部４ａは、図３中に示すように、展開部の端部２ａ側の外縁においてフランジ状の縁部４ｃを有している。図示しない突起部４ｂについても同様である。このように、外縁部にフランジ状の形状を設けることにより、ガイドプレート４の射出成形時に、パーティングラインに生じるエッジが、膨張展開するエアバッグに触れないようにすることができる。すなわち、外縁部をフランジ状とすることにより、パーティングラインをガイドプレート４の裏側（展開部２側）に設定可能になり、パーティングラインに形成されるエッジも、エアバッグに触れる面の裏面側に設定可能になるので、膨張展開中のエアバッグの引っ掛かりや傷の発生を防ぐことができる。
【００２９】
以上、本発明の好ましい実施例について詳述したが、本発明に係る車両用内装部品は上述した実施例に限定されるものではなく、特許請求の範囲に記載された本発明の要旨の範囲内において、種々の変形、変更が可能である。
【符号の説明】
【００３０】
１、１０    ドアトリム
２      展開部
２ａ      端部
４      ガイドプレート
４ａ、４ｂ    突起部
４ｃ    フランジ部
７ａ    第１の金属プレート
７ｂ    第２の金属プレート
７ｃ    ヒンジ
９      ドアトリム本体
【図１】
2010264930.tif 000003
【図２】
2010264930.tif 000004
【図３】
2010264930.tif 000005
【図４】
2010264930.tif 000006
【図５】
2010264930.tif 000007